(57)【特許請求の範囲】
【請求項１】
本体部分および送風機部分を有する浴室換気空調装置において、
前記本体部分は浴室の空気を循環させる循環送風機と、
前記浴室の空気を吸込む循環吸込口および前記浴室に前記空気を吹出す循環吹出口と、
前記循環吸込口および前記循環吹出口を備えた循環風路と、
前記送風機部分に連通する第一換気口および第二換気口と、
前記第一換気口と前記第二換気口との間に形成される換気風路と、
冷媒を圧縮する圧縮機と、
前記循環吸込口と前記循環送風機との間に配設され前記循環吸込口から吸い込んだ空気と前記冷媒とを熱交換させる第一熱交換器と、
前記冷媒を膨張させる膨張機構と、
前記換気風路中に配設され前記換気風路の空気と前記冷媒とを熱交換させる第二熱交換器と、
前記圧縮機、前記第一熱交換器、前記膨張機構、および前記第二熱交換器の順に前記冷媒が循環するように配管した冷媒回路と、
前記換気風路、前記循環風路、および前記圧縮機を配置する圧縮機エリアに仕切る本体隔壁とを備え、
前記送風機部分は前記浴室以外の他室の空気を吸込み部から吸い込み吹出し部から屋外に排出する換気送風機と、
前記吸込み部と前記吹出し部とを仕切る送風機隔壁と、
前記吸込み部に設けた前記他室に開口した少なくとも１個の排気口に連通する他室吸込口および前記吸込み部に設けた前記本体部分に連通する第一送風口と、
前記吹出し部に設けた前記屋外への換気吹出口および前記吹出し部に設けた前記本体部分に連通する第二送風口とを備え、
前記換気送風機により前記他室吸込口より吸込んだ空気を前記第一送風口、前記第一換気口、前記換気風路、前記第二熱交換器、前記第二換気口、および前記第二送風口を経由して前記換気吹出口から前記屋外へ排気し、
前記第一換気口を開閉する第一換気口開閉部および前記第二換気口を開閉する第二換気口開閉部を前記本体部分に設けるとともに、前記送風機隔壁に２４時間換気口および前記２４時間換気口を開閉する２４時間換気口開閉部を設け、前記第一換気口開閉部を閉、前記第二換気口開閉部を閉、前記２４時間換気口開閉部を開とすることにより前記他室吸込口より吸込んだ空気を前記第二熱交換器を通過させないものであって、
隣接した前記第一換気口開閉部と前記第二換気口開閉部とを一体化した換気口開閉部としたことを特徴とする浴室換気空調装置。
【請求項２】
本体部分および送風機部分を有する浴室換気空調装置において、
前記本体部分は浴室の空気を循環させる循環送風機と、
前記浴室の空気を吸込む循環吸込口および前記浴室に前記空気を吹出す循環吹出口と、
前記循環吸込口および前記循環吹出口を備えた循環風路と、
前記送風機部分に連通する第一換気口および第二換気口と、
前記第一換気口と前記第二換気口との間に形成される換気風路と、
冷媒を圧縮する圧縮機と、
前記循環吸込口と前記循環送風機との間に配設され前記循環吸込口から吸い込んだ空気と前記冷媒とを熱交換させる第一熱交換器と、
前記冷媒を膨張させる膨張機構と、
前記換気風路中に配設され前記換気風路の空気と前記冷媒とを熱交換させる第二熱交換器と、
前記圧縮機、前記第一熱交換器、前記膨張機構、および前記第二熱交換器の順に前記冷媒が循環するように配管した冷媒回路と、
前記換気風路、前記循環風路、および前記圧縮機を配置する圧縮機エリアに仕切る本体隔壁とを備え、
前記送風機部分は前記浴室以外の他室の空気を吸込み部から吸い込み吹出し部から屋外に排出する換気送風機と、
前記吸込み部と前記吹出し部とを仕切る送風機隔壁と、
前記吸込み部に設けた前記他室に開口した少なくとも１個の排気口に連通する他室吸込口および前記吸込み部に設けた前記本体部分に連通する第一送風口と、
前記吹出し部に設けた前記屋外への換気吹出口および前記吹出し部に設けた前記本体部分に連通する第二送風口とを備え、
前記換気送風機により前記他室吸込口より吸込んだ空気を前記第一送風口、前記第一換気口、前記換気風路、前記第二熱交換器、前記第二換気口、および前記第二送風口を経由して前記換気吹出口から前記屋外へ排気するものであって、
前記吹出し部にさらに第三送風口を設け、前記吸込み部にさらに第四送風口を設け、前記送風機部分を回転させることにより前記第一換気口と第三送風口とを連通させ、前記第二換気口と前記第四送風口を連通させ、前記第一送風口と前記第二送風口とを塞ぐことにより、前記送風機部分への前記他室からの吸込み方向および前記屋外への吹き出し方向を変更することができることを特徴とする浴室換気空調装置。
【請求項３】
本体部分および送風機部分を有する浴室換気空調装置において、
前記本体部分は浴室の空気を循環させる循環送風機と、
前記浴室の空気を吸込む循環吸込口および前記浴室に前記空気を吹出す循環吹出口と、
前記循環吸込口および前記循環吹出口を備えた循環風路と、
前記送風機部分に連通する第一換気口および第二換気口と、
前記第一換気口と前記第二換気口との間に形成される換気風路と、
冷媒を圧縮する圧縮機と、
前記循環吸込口と前記循環送風機との間に配設され前記循環吸込口から吸い込んだ空気と前記冷媒とを熱交換させる第一熱交換器と、
前記冷媒を膨張させる膨張機構と、
前記換気風路中に配設され前記換気風路の空気と前記冷媒とを熱交換させる第二熱交換器と、
前記圧縮機、前記第一熱交換器、前記膨張機構、および前記第二熱交換器の順に前記冷媒が循環するように配管した冷媒回路と、
前記換気風路、前記循環風路、および前記圧縮機を配置する圧縮機エリアに仕切る本体隔壁とを備え、
前記送風機部分は前記浴室以外の他室の空気を吸込み部から吸い込み吹出し部から屋外に排出する換気送風機と、
前記吸込み部と前記吹出し部とを仕切る送風機隔壁と、
前記吸込み部に設けた前記他室に開口した少なくとも１個の排気口に連通する他室吸込口および前記吸込み部に設けた前記本体部分に連通する第一送風口と、
前記吹出し部に設けた前記屋外への換気吹出口および前記吹出し部に設けた前記本体部分に連通する第二送風口とを備え、
前記換気送風機により前記他室吸込口より吸込んだ空気を前記第一送風口、前記第一換気口、前記換気風路、前記第二熱交換器、前記第二換気口、および前記第二送風口を経由して前記換気吹出口から前記屋外へ排気し、
前記換気風路中の前記第二熱交換器と前記第二換気口との間の前記浴室に面した部分に浴室換気口を設けたものであって、
前記本体部分にさらに前記循環吸込口を開閉する循環吸込口開閉部と、再熱送風口とを設けたことを特徴とする浴室換気空調装置。
【請求項４】
前記本体部分にさらに前記浴室換気口を開閉する浴室換気口開閉部と、前記再熱送風口を開閉する再熱送風口開閉部とを設けたことを特徴とする請求項３記載の浴室換気空調装置。
【請求項５】
隣接した前記循環吸込口開閉部と前記再熱送風口開閉部を一体化した循環再熱切換部としたことを特徴とする請求項４記載の浴室換気空調装置。
【請求項６】
前記循環送風機と前記循環吹出口とをユニット化することにより前記循環送風機および前記循環吹出口を前記浴室側へ取り外すことができるようにしたことを特徴とする請求項１から５のいずれか１項に記載の浴室換気空調装置。
【請求項７】
前記換気口開閉部を前記浴室側へ取り外すことができるようにしたことを特徴とする請求項１に記載の浴室換気空調装置。
【請求項８】
前記循環吸込口開閉部を前記浴室側へ取り外すことができるようにしたことを特徴とする請求項３記載の浴室換気空調装置。
【請求項９】
浴室換気口開閉部を浴室側へ取り外すことができるようにしたことを特徴とする請求項４記載の浴室換気空調装置。
【請求項１０】
前記再熱送風口開閉部を前記浴室側へ取り外すことができるようにしたことを特徴とする請求項４記載の浴室換気空調装置。
【請求項１１】
前記循環再熱切換部を前記浴室側へ取り外すことができるようにしたことを特徴とする請求項５記載の浴室換気空調装置。
【請求項１２】
前記冷媒回路をベースフレームの上に固定するとともに、前記ベースフレームに前記第二熱交換器にて発生する結露水を溜めるドレンパンと前記ドレンパンに溜まったドレン水を排水するためのドレンポンプとを設け、前記冷媒回路をユニット化して前記浴室側へ取り外すことができるようにしたことを特徴とする請求項１から１１のいずれか１項に記載の浴室換気空調装置。
【請求項１３】
前記ドレンパンおよび前記ドレンポンプを前記浴室側へ取り外すことができるようにしたことを特徴とする請求項１２記載の浴室換気空調装置。
【請求項１４】
前記ドレンパンを前記浴室側へ取り外したときに前記ドレンポンプが前記本体部分側に残るようにしたことを特徴とする請求項１３記載の浴室換気空調装置。
【発明の詳細な説明】
【技術分野】
【０００１】
本発明は、浴室換気空調装置に関する。
【背景技術】
【０００２】
従来より、ヒートポンプ等を利用した浴室換気空調装置は、冷凍サイクル部、循環ファンおよび循環ファンモータ、換気ファンおよび換気ファンモータなどの送風機部分を、本体内に内蔵している。ここで冷凍サイクル部は圧縮機、凝縮器および蒸発器などの熱交換器、減圧器等を含む。循環ファンおよび循環ファンモータは、空調した空気を浴室に送風する。換気ファンおよび換気ファンモータなどの送風機部分は、熱交換した熱を屋外へ排気する（例えば、特許文献１参照）。【０００３】
このような従来の浴室換気空調装置では、浴室内の空気を本体内に吸込み空調した後に浴室、脱衣室等の居室へ送風もしくは屋外へ排気するが、屋外へ排気する際に熱を放出するという課題があった。
【先行技術文献】
【特許文献】
【０００４】
【特許文献１】特開平５−２３１６７５号公報
【発明の概要】
【０００５】
本発明は、本体部分および送風機部分を有する浴室換気空調装置において、本体部分は浴室の空気を循環させる循環送風機と、浴室の空気を吸込む循環吸込口および浴室に空気を吹出す循環吹出口と、循環吸込口および循環吹出口を備えた循環風路と、送風機部分に連通する第一換気口および第二換気口と、第一換気口と第二換気口との間に形成される換気風路と、冷媒を圧縮する圧縮機と、循環吸込口と循環送風機との間に配設され循環吸込口から吸い込んだ空気と冷媒とを熱交換させる第一熱交換器と、冷媒を膨張させる膨張機構と、換気風路中に配設され換気風路の空気と冷媒とを熱交換させる第二熱交換器と、圧縮機、第一熱交換器、膨張機構、および第二熱交換器の順に冷媒が循環するように配管した冷媒回路と、換気風路、循環風路、および圧縮機を配置する圧縮機エリアに仕切る本体隔壁とを備え、送風機部分は浴室以外の他室の空気を吸込み部から吸い込み吹出し部から屋外に排出する換気送風機と、吸込み部と吹出し部とを仕切る送風機隔壁と、吸込み部に設けた他室に開口した少なくとも１個の排気口に連通する他室吸込口および吸込み部に設けた本体部分に連通する第一送風口と、吹出し部に設けた屋外への換気吹出口および吹出し部に設けた本体部分に連通する第二送風口とを備え、換気送風機により他室吸込口より吸込んだ空気を第一送風口、第一換気口、換気風路、第二熱交換器、第二換気口、および第二送風口を経由して換気吹出口から屋外へ排気する。
【０００６】
その結果、他室吸込口より吸込んだ空気を送風機部分から、一度本体部分へ導いた後、再度送風機部分に戻して屋外へ吹き出すことができる。そのため、他室吸込口より吸込んだ空気を本体部分に配置された第二熱交換器を通過させて熱を回収でき、その熱により浴室を暖房することができる。
【図面の簡単な説明】
【０００７】
【図１】図１は本発明の実施の形態１の浴室換気空調装置の居住空間への設置を示す見取り図である。
【図２】図２は同浴室換気空調装置の概略構成図である。
【図３】図３は本発明の実施の形態２の浴室換気空調装置の概略構成図である。
【図４】図４は本発明の実施の形態３の浴室換気空調装置の概略構成図である。
【図５】図５は本発明の実施の形態４の浴室換気空調装置の概略構成図である。
【発明を実施するための形態】
【０００８】
以下、本発明の実施の形態について添付図面を用いて説明する。
【０００９】
（実施の形態１）
図１は本発明の実施の形態１浴室換気空調装置設置を示す見取り図である。図１において、屋内の居住空間１は、リビング２、浴室３、脱衣室４あるいはトイレ５などに区画されている。浴室３の天井裏には、浴室換気空調装置の本体部分６と送風機部分７とが設置されている。本体部分６内部には、循環送風機８が配設されている。循環送風機８を運転すると浴室３の空気が、本体部分６の浴室３側に開口した循環吸込口１９（図２参照）から本体部分６内に吸込まれ、循環送風機８を通って本体部分６の浴室３側に開口した循環吹出口２０（図２参照）から浴室３内へ吹き出される。
【００１０】
また、送風機部分７内部には換気送風機９が配設されている。第一排気ダクト１１および第二排気ダクト１３は、換気送風機９の吸込側に接続されている。第三排気ダクト１４は、換気送風機９の吹出側に接続されている。ここで第一排気ダクト１１は、脱衣室４に開口した第一排気口１０と送風機部分７とを連通する。第二排気ダクト１３は、トイレ５に開口した第二排気口１２と送風機部分７とを連通する。第三排気ダクト１４は、屋外と送風機部分７とを連通する。
【００１１】
換気送風機９を運転すると脱衣室４およびトイレ５の空気が、第一排気口１０および第二排気口１２から第一排気ダクト１１および第二排気ダクト１３を通じて換気送風機９に吸い込まれ、第三排気ダクト１４を通じて屋外に排出される。
【００１２】
そして、換気送風機９を連続運転すると居住空間１内が負圧になるため、リビング２の屋外に面した壁に開口した給気口１５から新鮮な外気が給気されて居住空間１が換気される。この換気運転は、建物の気密性が高い場合は連続して行う（２４時間換気をする）必要がある。そのため、換気送風機９は所定の換気量、例えば一時間当たり居住空間１の約半分の容積に相当する換気量を確保するように連続運転を行う。
【００１３】
また、リビング２にはリビング２の温度をコントロールするための空調機１６が設置され、夏期は冷房運転、冬期は暖房運転を行って室温を適正に保持している。しかし前述したように年間を通じて連続した換気運転を行っていると、夏期はリビング２において空調機１６にて冷房された低温の空気、冬期は空調機１６にて暖房された高温の空気が脱衣室４のドア１７およびトイレ５のドア１８のガラリ、アンダーカット部分を通じて第一排気口１０および第二排気口１２に吸い込まれ、送風機部分７を介して屋外に排出される。
【００１４】
図２は、本発明の実施の形態１の浴室換気空調装置の概略構成図であり、風路構成図および冷媒回路図を示す。浴室換気空調装置は、浴室３の天井裏に設置されている。
【００１５】
本体部分６は、以下を備えている。浴室３内の空気を循環させる循環送風機８と、浴室３に開口した循環吸込口１９および循環吹出口２０、ならびに浴室換気口２１と、循環吸込口１９を開閉する循環吸込口開閉部２２と、浴室換気口２１を開閉する浴室換気口開閉部２３と、送風機部分７に連通する第一換気口２４および第二換気口２５と、第一換気口２４を開閉する第一換気口開閉部２６と、第二換気口２５を開閉する第二換気口開閉部２７と、第一換気口２４と第二換気口２５との間に形成される換気風路２８と、換気風路２８と循環送風機８とを連通させる再熱送風口２９と、再熱送風口２９を開閉する再熱送風口開閉部３０と、冷媒を圧縮する圧縮機３１と、循環吸込口１９と循環送風機８との間に配設され循環吸込口１９から吸い込んだ空気と冷媒とを熱交換させる第一熱交換器３２と、循環送風機８と、循環吸込口１９および循環吹出口２０と備えた循環風路２８ａと、冷媒を膨張させる膨張機構３３と、換気風路２８中に配設され換気風路２８の空気と冷媒とを熱交換させる第二熱交換器３４とである。そして圧縮機３１、第一熱交換器３２、膨張機構３３、第二熱交換器３４の順に冷媒が循環するように配管した冷媒回路が形成されている。さらに、本体部分６は換気風路２８、循環風路２８ａ、および圧縮機３１を配置する圧縮機エリア２８ｂに仕切る本体隔壁２８ｃを設けている。本体隔壁２８ｃの換気風路２８と循環風路２８ａとを仕切る部分には、換気風路２８と循環風路２８ａとを連通するために上述の再熱送風口２９が設けられている。ここで浴室換気口２１は、換気風路２８中の第二熱交換器３４と第二換気口２５との間の浴室３に面した部分に設けられている。その結果、浴室換気口開閉部２３を開とし、第二換気口開閉部２７を開とし、換気送風機９を運転することにより浴室３の換気ができる。
【００１６】
また送風機部分７は、以下を備えている。浴室３以外の他室、例えば脱衣室４やトイレ５から空気を吸込み部７ａから吸い込み吹出し部７ｂから屋外に排出する換気送風機９と、脱衣室４から吸込んだ空気を搬送する第一排気ダクト１１を接続する他室吸込口３５と、トイレ５から吸込んだ空気を搬送する第二排気ダクト１３を接続する他室吸込口３５と、排気する空気を屋外へ搬送する第三排気ダクト１４を接続する換気吹出口３７と、本体部分６と連接する吸込み部７ａと吹出し部７ｂとを仕切る送風機隔壁４０と、送風機隔壁４０に開口した２４時間換気口４１および２４時間換気口４１を開閉する２４時間換気口開閉部４２と、通常は蓋にて塞いでいる第三送風口４３および第四送風口４４と、第三送風口を塞ぐ蓋４５と、第四送風口４４を塞ぐ蓋４６とである。そして本体部分６と送風機部分７とを別体に構成し、連接して設置する。また他室吸込口３５は、吸込み部７ａに設けた他室に開口した少なくとも１個の排気口に連通している。第一送風口３８は、本体部分６に連通する。第二送風口３９および屋外への換気吹出口３７は、吹出し部７ｂに設けられている。そして第二送風口３９は、本体部分６に連通する。第三送風口４３は吹出し部７ｂに、第四送風口４４は吸込み部７ａに設けられている。
【００１７】
上記構成において、循環吸込口開閉部２２を開、浴室換気口開閉部２３を閉、第一換気口開閉部２６を開、第二換気口開閉部２７を開、再熱送風口開閉部３０を閉、２４時間換気口開閉部４２を閉とする。このことにより、換気送風機９により脱衣室４およびトイレ５などの他室から吸込んだ空気を第一送風口３８、第一換気口２４より本体部分６内の換気風路２８へ導入する。そしてその空気を、第二熱交換器３４を通過させることにより熱交換をおこなう。その後、第二換気口２５、第二送風口３９より再度送風機部分７へ導入して換気吹出口３７より屋外へ排気することができる。冷凍サイクルによって第二熱交換器３４において回収した脱衣室４およびトイレ５の熱を第一熱交換器３２へ運び、浴室３内へ放熱することにより浴室３内を暖房することができる。
【００１８】
また、第一換気口開閉部２６を閉、第二換気口開閉部２７を閉、２４時間換気口開閉部４２を開とする。このことにより、他室吸込口３５より吸い込んだ空気から熱の回収をする必要がない運転をおこなう場合、他室吸込口３５より吸込んだ空気を本体部分６内に導入することなく送風機部分７から直接屋外に排気できる。そのため換気送風機９は、他室吸込口３５より吸込んだ空気の熱交換器通過時の圧損が無くなり、換気時の効率を向上することができる。
【００１９】
また、第三送風口４３および第四送風口４４を塞いでいた蓋４５および蓋４６を取り外し、第一送風口３８および第二送風口３９を蓋４５および蓋４６により塞ぐ。そして送風機部分７を１８０度回転させることにより、第三送風口４３を第一換気口２４に、第四送風口４４を第二換気口２５に連通させて設置する。その結果、左右どちらからでも吸込みおよび排気することができ、排気ダクトの引回し方向の自由度を高めることができる。すなわち送風機部分７への他室からの吸込み方向、および屋外への吹き出し方向を変更することができる。
【００２０】
また、浴室換気口開閉部２３を開、第一換気口開閉部２６を開、第二換気口開閉部２７を開、２４時間換気口開閉部４２を開とすることにより、浴室３内の空気を屋外に排気することができる。
【００２１】
また、循環吸込口開閉部２２を閉、浴室換気口開閉部２３を開、第一換気口開閉部２６を閉、第二換気口開閉部２７を閉、再熱送風口開閉部３０を開とする。このことにより、浴室３の空気を浴室換気口２１から本体部分６に吸込み、第二熱交換器３４、再熱送風口２９、第一熱交換器３２、循環送風機８、循環吹出口２０の順に送風し、浴室３内を再熱除湿することができる。
【００２２】
また本体部分６は、浴室換気口開閉部２３および再熱送風口開閉部３０を備えているので、以下のことが可能となる。暖房運転時には循環吸込口開閉部２２を開、再熱送風口開閉部３０を閉、浴室換気口開閉部２３を閉、第一換気口開閉部２６を開、第二換気口開閉部２７を開、２４時間換気口開閉部４２を閉とし、圧縮機３１、循環送風機８、換気送風機９を運転する。除湿運転時には循環吸込口開閉部２２を閉、再熱送風口開閉部３０を開、浴室換気口開閉部２３を開、第一換気口開閉部２６を閉、第二換気口開閉部２７を閉とし、圧縮機３１、循環送風機８を運転する。このことにより、暖房運転と除湿運転とを切り換えることができ、また除湿運転時に２４時間換気口開閉部４２を開とし、換気送風機９を運転すれば浴室３以外の他室の換気が可能となる。
【００２３】
このように本発明の実施の形態１の浴室換気空調装置によれば、各種開閉部の切換により浴室３以外の他室の熱を回収して浴室３内を暖房、再熱除湿、および浴室３内の空気を換気できる。また施工時に、送風機部分７の方向を左右逆転させることができる。
【００２４】
なお、以上説明した内容は、発明を実施するための一形態についてのみ説明したものであり、本発明は上記の実施の形態に限定されるものではない。
【００２５】
例えば、本実施の形態１では本体部分６と送風機部分７との連接部分を開閉する手段として、本体部分６が第一換気口開閉部２６および第二換気口開閉部２７を有する構成とした。しかし、送風機部分７の第一送風口３８、第二送風口３９もしくは第三送風口４３、第四送風口４４に開閉手段を設ける構成としてもよい。すなわち、第一送風口３８を開閉する第一送風口開閉部、および第二送風口３９を開閉する第二送風口開閉部を送風機部分７に設ける。
【００２６】
また、他室の例として脱衣室４とトイレ５とを記載したが、居住空間１内であればいずれの空間を他室としてもよい。
【００２７】
また、第一換気口開閉部２６および第二換気口開閉部２７は別々に駆動させる構成とした。しかし、第一換気口開閉部２６と第二換気口開閉部２７との動作が常に同じである場合、第一換気口開閉部２６と第二換気口開閉部２７との軸をつなぐことにより同一軸にて一体化させて駆動させてもよい。すなわち隣接した第一換気口開閉部２６と第二換気口開閉部２７とを一体化した換気口開閉部としてもよい。
【００２８】
（実施の形態２）
図３は、本発明の実施の形態２の浴室換気空調装置の概略構成図である。本発明の実施の形態２では、実施の形態１と同一構成要素には同一の符号を付し、異なる点のみを説明する。本発明の実施の形態２の浴室換気空調装置は、実施の形態１の浴室換気空調装置の第一熱交換器３２および第二熱交換器３４を鉛直方向から傾けて配置した点のみが異なる。
【００２９】
上記構成により、実施の形態１の第一熱交換器３２および第二熱交換器３４よりも熱交換器容積を大きくすることができる。また第一熱交換器３２および第二熱交換器３４の前後の空間を三角形の形状として広くとることができるため、通風抵抗を低減することができ、各熱交換器の風速分布を良化させることができる。その結果、暖房能力、除湿能力を向上させることができる。
【００３０】
（実施の形態３）
図４は、本発明の実施の形態３の浴室換気空調装置の概略構成図である。本発明の実施の形態３では、実施の形態１および２と同一構成要素には同一の符号を付し、異なる点のみを説明する。
【００３１】
本発明の実施の形態３の浴室換気空調装置は、図４に示すように、上記実施の形態２の浴室換気空調装置の循環吸込口開閉部２２と再熱送風口開閉部３０とを一体化した循環再熱切換部４７を設置したことにより、開閉手段を1個減らすことができ部品点数を低減することができる。
【００３２】
また、循環送風機８と循環吹出口２０をユニット化した循環送風ユニット４８を備え、本体部分６から容易に取り外すことができる構成としたことにより、メンテナンス時に本体部分６を取り外すことなく循環送風ユニット４８のみを浴室３側から取り外してメンテナンスをおこなうことができる。
【００３３】
また、循環吸込口開閉部２２、第一換気口開閉部２６、第二換気口開閉部２７、再熱送風口開閉部３０、循環再熱切換部４７、および浴室換気口開閉部２３を本体部分６から容易に取り外すことができる構成とした。このことにより、メンテナンス時に本体部分６を取り外すことなく循環吸込口開閉部２２、第一換気口開閉部２６、第二換気口開閉部２７、再熱送風口開閉部３０、循環再熱切換部４７、および浴室換気口開閉部２３のそれぞれを単独で浴室３側から取り外してメンテナンスをおこなうことができる。
【００３４】
（実施の形態４）
図５は、本発明の実施の形態４の浴室換気空調装置の概略構成図である。本発明の実施の形態４では、実施の形態１〜３と同一構成要素には同一の符号を付し、異なる点のみを説明する。
【００３５】
本発明の実施の形態４の浴室換気空調装置は、図５に示すように、圧縮機３１、第一熱交換器３２、膨張機構３３、第二熱交換器３４の順に冷媒が循環するように配管した冷媒回路をベースフレーム４９の上に固定する。そして、ベースフレーム４９に第二熱交換器３４にて発生する結露水を溜めるドレンパン５０と、ドレンパン５０に溜まったドレン水を排水するためのドレンポンプ５１とを外装ケース５３よりドレンポンプ固定手段５３にて設置し、これら冷媒回路をユニット化することにより本体部分６より冷媒回路のみを浴室３側へ取り外してメンテナンスをおこなうことができる。
【００３６】
また、ドレンパン５０はベースフレーム４９から単独で取り外してメンテナンスをおこなうことができる。図５においてはドレンポンプ５１を外装ケース５３に設けたドレンポンプ固定部５４にて固定した構成としており、ドレンパン５０を取り外してメンテナンスをおこなう際にドレンポンプ５１は本体部分６（外装ケース５３）側に残る構成としている。ドレンポンプ５１はドレンパン５０に直接固定される構成としてもよいが、ドレンパン５０に直接固定する場合はドレンパン５０を取り外す際にドレンポンプも同時に外れるため、排水用のドレンホースの接続を外す必要がある。ドレンポンプ５１を外装ケース５３に固定する構成においてはドレンパン５０は単独で取り外すことが可能であり、ドレンパン５０を取り外した後にドレンポンプ５１に接続されているドレンホースを外すことができる。
【産業上の利用可能性】
【００３７】
本発明は、脱衣室やトイレの他室吸込口より吸い込んだ空気を本体内へ導入し熱交換器を通過させる。このことにより従来他室吸込口より吸い込み屋外に排気していた熱を回収し、浴室の暖房を行い、エネルギー効率の高い浴室換気空調装置を実現できる。そのため、一般家庭、事務所、工場、および業務用浴室施設等、多くの建物、施設に利用できる。
【符号の説明】
【００３８】
１    居住空間
２    リビング
３    浴室
４    脱衣室
５    トイレ
６    本体部分
７    送風機部分
７ａ    吸込み部
７ｂ    吹出し部
８    循環送風機
９    換気送風機
１０    第一排気口
１１    第一排気ダクト
１２    第二排気口
１３    第二排気ダクト
１４    第三排気ダクト
１５    給気口
１６    空調機
１７，１８    ドア
１９    循環吸込口
２０    循環吹出口
２１    浴室換気口
２２    循環吸込口開閉部
２３    浴室換気口開閉部
２４    第一換気口
２５    第二換気口
２６    第一換気口開閉部
２７    第二換気口開閉部
２８    換気風路
２８ａ    循環風路
２８ｂ    圧縮機エリア
２８ｃ    本体隔壁
２９    再熱送風口
３０    再熱送風口開閉部
３１    圧縮機
３２    第一熱交換器
３３    膨張機構
３４    第二熱交換器
３５，３６    他室吸込口
３７    換気吹出口
３８    第一送風口
３９    第二送風口
４０    送風機隔壁
４１    ２４時間換気口
４２    ２４時間換気口開閉部
４３    第三送風口
４４    第四送風口
４５，４６    蓋
４７    循環再熱切換部
４８    循環送風ユニット
４９    ベースフレーム
５０    ドレンパン
５１    ドレンポンプ
５３    外装ケース
５４    ドレンポンプ固定部
【図１】
0005423790.tif 000002
【図２】
0005423790.tif 000003
【図３】
0005423790.tif 000004
【図４】
0005423790.tif 000005
【図５】
0005423790.tif 000006